(57)【要約】      （修正有）【課題】マスターリングゲージの代わりに内径の基準とすることができ、かつ製造コストも安価で保守も簡単なインナーマスターゲージ具及びゼロ合わせ装置を提供する。【解決手段】測定スペースが設けられたベース体１４と、シリンダゲージの測定部の側面及び下面を固定支持する測定部固定支持部材１６Ａを有し測定スペースの一端部から測定スペースの他端部に向かって設けられた測定子面受け部１８と、測定子面受け部と同一軸線上かつ昇降自在に設けられ、シリンダゲージの換えロッドを軸心上に受けるためのＶ字状換えロッド受け部２０を有しかつ測定スペースの長手方向に摺動可能に設置された換えロッド軸心上受け部材２２と、測定子面受け部と相対向して同一軸線上に設けられ、換えロッドの換えロッド先端部を受けるための換えロッド面受け部２４と、を含むようにした。【選択図】図１
0003193893.tif 000002
【実用新案登録請求の範囲】
【請求項１】
シリンダゲージ用のインナーマスターゲージ具であって、
測定スペースが設けられたベース体と、
前記シリンダゲージの測定部の側面及び下面を固定支持する測定部固定支持部材を有し前記測定スペースの一端部から前記測定スペースの他端部に向かって設けられた測定子面受け部と、
前記測定子面受け部と同一軸線上かつ昇降自在に設けられ、前記シリンダゲージの換えロッドを軸心上に受けるためのＶ字状換えロッド受け部を有しかつ前記測定スペースの長手方向に摺動可能に設置された換えロッド軸心上受け部材と、
前記測定子面受け部と相対向して同一軸線上に設けられ、前記換えロッドの換えロッド先端部を受けるための換えロッド面受け部と、
を含む、インナーマスターゲージ具。
【請求項２】
前記測定子面受け部及び前記換えロッド面受け部が、ベース体に固定されてなる、請求項１記載のインナーマスターゲージ具。
【請求項３】
前記Ｖ字状換えロッド受け部が、弾性体によって支持されることで、昇降自在とされてなる、請求項１又は２記載のインナーマスターゲージ具。
【請求項４】
シリンダゲージ用のゼロ合わせ装置であって、
測定スペースが設けられたベース体と、
前記シリンダゲージの測定部の側面及び下面を固定支持する測定部固定支持部材を有し前記測定スペースの一端部から前記測定スペースの他端部に向かって設けられた測定子面受け部と、
前記測定子面受け部と同一軸線上かつ昇降自在に設けられ、前記シリンダゲージの換えロッドを軸心上に受けるためのＶ字状換えロッド受け部を有しかつ前記測定スペースの長手方向に摺動可能に設置された換えロッド軸心上受け部材と、
先端に前記換えロッドの換えロッド先端部を受けるための換えロッド面受け部を有するスピンドル部と、
前記スピンドル部が設けられたマイクロメータヘッドと、を含み、
前記マイクロメータヘッドを調節することで、前記換えロッド面受け部と前記測定子面受け部との間隔が広狭自在とされてなる、ゼロ合わせ装置。
【考案の詳細な説明】
【技術分野】
【０００１】
本考案は、測定対象物の内径を測定するためのシリンダゲージでの測定にあたり、内径基準として用いるためのインナーマスターゲージ具及びシリンダゲージのゼロ合わせをするためのゼロ合わせ装置に関する。
【背景技術】
【０００２】
現在、精密加工製品の内径寸法を測定するにあたっては、測定器具として、一般的には、栓ゲージ、デジタルノギス、内径マイクロメータ、ボアーマイクロメータ、シリンダゲージ等が用いられる。これら測定器具は、測定対象物の大きさや必要とする精度等により使い分けている。
【０００３】
精密加工製品の機械式内径測定においては、シリンダゲージが入らないほどの小内径のものは、栓ゲージやピンゲージといった測定装置が主に用いられている。
【０００４】
一方、内径がおよそ１０ｍｍよりも大きくなってくると、シリンダゲージが入るので、シリンダゲージがよく使われる。シリンダゲージは、ＪＩＳ Ｂ７５１５に規定されている。標準的なシリンダゲージの測定部の構造を図６に示す。シリンダゲージ１００は、基端に指示器の設けられた外筒１０２の先端に測定部１０４を有する。また、種々のサイズに交換可能であり、換えロッド先端部１１２を有する換えロッド１０６（換えロッド１０６は、アンビルと呼ばれることもある）と、案内板１０８ａ，１０８ｂと、測定子１１０とが設けられており、測定子１１０の変位を機械的に直角方向に伝達し、長さの基準と比較することで、取りつけてあるダイヤルゲージなどの指示器で測定子の変位を読み取る。
【０００５】
しかしながら、シリンダゲージは、マイクロメータなどと違い比較測定による測定器であるため、校正のためには基準が必要となる。
【０００６】
内径の基準として、マスターリングゲージがある。マスターリングゲージは、例えば特許文献１に示されるように、測定器の内径基準として用いられるゲージであり、目的とする内径寸法と同じ寸法にμｍ単位で高精度に加工したマスターリングである。
【０００７】
このマスターリングゲージがあれば、熟練の必要がなく簡単にしかも早くシリンダゲージの校正ができ、作業者も安心して測定作業ができるが、目的とする内径寸法と同じ寸法のマスターリングゲージを全て準備する必要がある。しかし、マスターリングゲージは、特に大径のもの（例えば３００ｍｍ以上）は高価であるため、多品種少量の製品を加工する場合にはコストの面から現実的ではなく、他の方法で校正をする必要がある。
【０００８】
また、シリンダゲージ用のゼロ合わせ装置として、特許文献２に示すゼロ合わせ装置を本出願人は提案しているが、さらなる製造コストの削減と、保守の簡便さを追求する必要があった。
【先行技術文献】
【特許文献】
【０００９】
【特許文献１】実用新案登録第３１２５１０９号公報
【特許文献２】特開２０１０−２８１８０７号公報
【考案の概要】
【考案が解決しようとする課題】
【００１０】
本考案は上記した従来技術の問題点に鑑みてなされたもので、マスターリングゲージの代わりに内径の基準とすることができ、かつ製造コストも安価で保守も簡単なインナーマスターゲージ具及びゼロ合わせ装置を提供することを目的とする。
【課題を解決するための手段】
【００１１】
上記課題を解決するために、本考案のインナーマスターゲージ具は、シリンダゲージ用のインナーマスターゲージ具であって、測定スペースが設けられたベース体と、前記シリンダゲージの測定部の側面及び下面を固定支持する測定部固定支持部材を有し前記測定スペースの一端部から前記測定スペースの他端部に向かって設けられた測定子面受け部と、前記測定子面受け部と同一軸線上かつ昇降自在に設けられ、前記シリンダゲージの換えロッドを軸心上に受けるためのＶ字状換えロッド受け部を有しかつ前記測定スペースの長手方向に摺動可能に設置された換えロッド軸心上受け部材と、前記測定子面受け部と相対向して同一軸線上に設けられ、前記換えロッドの換えロッド先端部を受けるための換えロッド面受け部と、を含むものである。
【００１２】
前記測定部固定支持部材としては、円筒形部材の上部の片端部を切り欠いて切り欠き部とした切り欠き円筒形部材の前記切り欠き部が前記測定子面受け部の周囲に位置するように前記切り欠き円筒形部材を位置せしめ、前記切り欠き部に前記シリンダゲージの測定部を入れ込み、前記シリンダゲージの測定部の側面及び下面を固定支持するようにするのが好適である。これにより、シリンダゲージの測定部の左右方向の妄動が抑えられるとともに、下方向への妄動も抑えられる。
【００１３】
また、前記測定子面受け部及び前記換えロッド面受け部が、ベース体に固定されてなるのが好ましい。前記測定子面受け部及び前記換えロッド面受け部が、ベース体に固定されるのが精密な基準として好ましいからである。
【００１４】
前記測定子面受け部及び前記換えロッド面受け部は、棒状部材の先端に設けられるのが好適である。また、前記測定子面受け部及び前記換えロッド面受け部の間隔を変えたインナーマスターゲージ具を準備すれば、様々な長さの換えロッドにそれぞれ適用可能となる。
【００１５】
前記Ｖ字状換えロッド受け部が、弾性体によって支持されることで、昇降自在とされてなるのが好ましい。弾性体の具体例としては、例えばバネやゴムなどが挙げられる。
【００１６】
前記換えロッド軸心上受け部材は、換えロッド受け部が、Ｖ字状とされているため、前記シリンダゲージの換えロッドを前記Ｖ字状換えロッド受け部に載置せしめることで、前記換えロッドが軸心から外れて妄動することを防止するように構成されている。なお、本願明細書において、前記換えロッドが軸心から外れて妄動することとは、前記換えロッドが測定子面受け部と換えロッド面受け部の中心を結んだ中心軸の軸心から外れてふらふらしてしまうことを意味する。
【００１７】
本考案のゼロ合わせ装置は、シリンダゲージ用のゼロ合わせ装置であって、測定スペースが設けられたベース体と、前記シリンダゲージの測定部の側面及び下面を固定支持する測定部固定支持部材を有し前記測定スペースの一端部から前記測定スペースの他端部に向かって設けられた測定子面受け部と、前記測定子面受け部と同一軸線上かつ昇降自在に設けられ、前記シリンダゲージの換えロッドを軸心上に受けるためのＶ字状換えロッド受け部を有しかつ前記測定スペースの長手方向に摺動可能に設置された換えロッド軸心上受け部材と、先端に前記換えロッドの換えロッド先端部を受けるための換えロッド面受け部を有するスピンドル部と、前記スピンドル部が設けられたマイクロメータヘッドと、を含み、前記マイクロメータヘッドを調節することで、前記換えロッド面受け部と前記測定子面受け部との間隔が広狭自在とされてなる。
【００１８】
また、本明細書で、軸心とは、測定子面受け部と換えロッド面受け部の中心を結んだ中心軸の軸心を意味する。
【考案の効果】
【００１９】
本考案によれば、マスターリングゲージの代わりに内径の基準とすることができ、かつ製造コストも安価で保守も簡単なインナーマスターゲージ具及びゼロ合わせ装置を提供することができるという著大な効果を奏する。
【図面の簡単な説明】
【００２０】
【図１】本考案のインナーマスターゲージ具一つの実施の形態を示す斜視図である。
【図２】図１の要部拡大斜視図である。
【図３】図１のインナーマスターゲージ具の使用状態を示す斜視図である。
【図４】測定部固定支持部材の様々な実施の形態を示す斜視図である。
【図５】本考案のゼロ合わせ装置一つの実施の形態を示す斜視図である。
【図６】標準的なシリンダゲージの測定部の構造を示す斜視図である。
【考案を実施するための形態】
【００２１】
以下に本考案の実施の形態を説明するが、これらは例示的に示されるもので、本考案の技術思想から逸脱しない限り種々の変形が可能なことはいうまでもない。
【００２２】
図１〜図３において、符号１０は本考案に係るシリンダゲージ用のインナーマスターゲージ具の一つの実施の形態を示す。インナーマスターゲージ具１０は、シリンダゲージ１００（図６）での測定にあたり、内径基準として用いるためのインナーマスターゲージ具である。
【００２３】
図１において、インナーマスターゲージ具１０は、測定スペース１２が設けられたベース体１４と、前記シリンダゲージ１００の測定部の側面及び下面を固定支持する測定部固定支持部材１６Ａを有し前記測定スペース１２の一端部から前記測定スペース１２の他端部に向かって設けられた測定子面受け部１８と、前記測定子面受け部１８と同一軸線上かつ昇降自在に設けられ、前記シリンダゲージ１００の換えロッド１０６を軸心上に受けるためのＶ字状換えロッド受け部２０を有しかつ前記測定スペース１２の長手方向に摺動可能に設置された換えロッド軸心上受け部材２２と、前記測定子面受け部１８と相対向して同一軸線上に設けられ、前記換えロッド１０６の換えロッド先端部１１２を受けるための換えロッド面受け部２４と、を含む構成とされている。
【００２４】
図示例では、前記測定子面受け部１８は、前記ベース体１４に取り付けられて固定された測定子受けシャフト２６の先端面が前記測定子面受け部１８とされている。図示例では、ベース体１４は鉄製である。また、図示例では、換えロッド面受けシャフト２８及び測定子受けシャフト２６は鉄製であり、前記換えロッド面受けシャフト２８及び測定子受けシャフト２６の先端に超鋼合金製の薄板を結合せしめて、それぞれ換えロッド面受け部２４及び測定子面受け部１８とした。このように構成することで、超鋼合金を用いる部位が少なくて済むため、製造コストが抑えられる利点がある。
【００２５】
また、図示例では、前記換えロッド面受け部２４は、前記ベース体１４に取り付けられて固定された換えロッド面受けシャフト２８の先端面が前記換えロッド面受け部２４とされている。さらに、前記Ｖ字状換えロッド受け部２０は、弾性体としてバネを使って支持されており、昇降自在とされている。
【００２６】
図２によく示されるように、前記測定部固定支持部材１６Ａは、円筒形部材の上部の片端部を切り欠いて切り欠き部３０Ａとした切り欠き円筒形部材とされている。そして、前記切り欠き部３０Ａが前記測定子面受け部１８の周囲に位置するように、前記切り欠き円筒形部材である測定部固定支持部材１６Ａを測定子受けシャフト２６に嵌合せしめ、ねじ部材３２Ａで前記測定部固定支持部材１６Ａが測定子受けシャフト２６に固定されている（図１）。
【００２７】
換えロッド軸心上受け部材２２は、長孔３４の形成された台座３６を有しており、前記長孔３４に挿入されたねじ部材３８を緩めれば台座３６が測定スペース１２の長手方向に摺動可能とされ、ねじ部材３８を締めれば台座３６が固定される構成となっている。このようにして、換えロッド軸心上受け部材２２が測定スペース１２の長手方向に摺動可能とされている。
【００２８】
上記のように構成されたインナーマスターゲージ具１０は、図３によく示されるように、前記切り欠き部３０Ａにシリンダゲージ１００の測定部１０４を入れ込み、前記測定部固定支持部材１６Ａの内側の下面端部を支点として測定子１１０が測定子面受け部１８の中心に案内され、換えロッド１０６が水平とされる。そして、前記測定部固定支持部材１６Ａによって、前記シリンダゲージ１００の測定部１０４の側面及び下面が固定支持されるように構成されており、インナーマスターゲージ具１０が内径基準となるので、シリンダゲージ１００の校正を行うことができる。
【００２９】
また、測定子受けシャフト２６や換えロッド面受けシャフト２８の長さを変えたインナーマスターゲージ具１０を用意すれば、前記測定子面受け部１８及び前記換えロッド面受け部２４の間隔を変えることができる。また、ベース体１４の全長を長くしたり短くしたりすることで、測定スペース１２の長さを変えることができる。このようにして、例えば、１００ｍｍ用、１５０ｍｍ用、２００ｍｍ用、２５０ｍｍ用、３００ｍｍ用、さらに３００ｍｍ以上のもの用といった様々な内径基準として使用できる。
【００３０】
測定部固定支持部材は、前記シリンダゲージ１００の測定部１０４の側面及び下面を固定支持することができればよいものであるから、上述した測定部固定支持部材１６Ａ以外にも、様々な構成とすることができる。測定部固定支持部材の様々な実施の形態を図４（ａ）〜（ｅ）に示す。
【００３１】
図４（ａ）〜（ｅ）において、符号１６Ａ〜１６Ｅは測定部固定支持部材の様々な実施の形態である。図４（ａ）は、上述した測定部固定支持部材１６Ａであり、測定子受けシャフト２６に嵌合せしめるための中空部４０Ａを有しており、円筒形部材の上部の片端部を切り欠いて切り欠き部３０Ａとした切り欠き円筒形部材とされている。図４（ｂ）〜（ｅ）に示した測定部固定支持部材１６Ｂ〜１６Ｅについても、測定部固定支持部材１６Ａと同様に、測定子受けシャフト２６に嵌合せしめるための中空部４０Ｂ〜４０Ｅを有しており、円筒形部材の上部の片端部を切り欠いて切り欠き部３０Ｂ〜３０Ｅとした切り欠き円筒形部材とされている。また、測定部固定支持部材１６Ｂ〜１６Ｅは、測定部固定支持部材１６Ａと同様に、測定子受けシャフト２６にねじ部材３２Ｂ〜３２Ｅで固定される。
【００３２】
シリンダゲージの測定部も様々なタイプがあるため、このようにして、シリンダゲージの測定部に合う測定部固定支持部材を用意することにより、様々なタイプのシリンダゲージにも適用可能となる。これにより、シリンダゲージの測定部の左右方向の妄動が抑えられるとともに、下方向への妄動も抑えられる。なお、シリンダゲージの測定部の側面及び下面を固定支持する測定部固定支持部材は、シリンダゲージの測定部の側面及び下面を固定支持することができればよいものであるから、シリンダゲージの測定部の左右側面のそれぞれ一部の箇所のみや測定部の下面の一部の箇所のみを固定支持するような構成でもよい。
【００３３】
次に、図５に、本考案に係るシリンダゲージ用のゼロ合わせ装置の一つの実施の形態を示す。本考案に係るシリンダゲージ用のゼロ合わせ装置は、シリンダゲージ１００（図６）での測定にあたり、ゼロ合わせをするためのゼロ合わせ装置である。
【００３４】
図５において、ゼロ合わせ装置５０は、測定スペース５２が設けられたベース体５４と、前記シリンダゲージ１００の測定部１０４の側面及び下面を固定支持する測定部固定支持部材１６Ａを有し前記測定スペース５２の一端部から前記測定スペース５２の他端部に向かって設けられた測定子面受け部１８と、前記測定子面受け部１８と同一軸線上かつ昇降自在に設けられ、前記シリンダゲージ１００の換えロッド１０６を軸心上に受けるためのＶ字状換えロッド受け部２０を有しかつ前記測定スペース５２の長手方向に摺動可能に設置された換えロッド軸心上受け部材２２と、先端に前記換えロッド１０６の換えロッド先端部１１２を受けるための換えロッド面受け部５６を有するスピンドル部５８と、前記スピンドル部５８が設けられたマイクロメータヘッド６０と、を含み、前記マイクロメータヘッド６０を調節することで、前記換えロッド面受け部５６と前記測定子面受け部１８との間隔が広狭自在とされてなるように構成されている。
【００３５】
すなわち、図５に示した本考案に係るゼロ合わせ装置５０では、先端に前記換えロッド１０６の換えロッド先端部１１２を受けるための換えロッド面受け部５６を有するスピンドル部５８と、前記スピンドル部５８が設けられたマイクロメータヘッド６０と、を有する構成とされている以外の構成については、図１に示した本考案に係るシリンダゲージ用のインナーマスターゲージ具１０と同様である。
【００３６】
上述した図１に示した本考案に係るシリンダゲージ用のインナーマスターゲージ具１０では、前記測定子面受け部１８及び前記換えロッド面受け部２４がベース体１４に固定されているため前記測定子面受け部１８及び前記換えロッド面受け部２４の間隔は不変である。一方、図５に示した本考案に係るゼロ合わせ装置５０では、前記測定子面受け部１８はベース対５４に固定されているが換えロッド面受け部５６はマイクロメータヘッド６０によって進退が自在とされているため、前記換えロッド面受け部５６と前記測定子面受け部１８との間隔が可変とされている。
【００３７】
本考案に係るインナーマスターゲージ具では、マスターリングゲージの代わりに内径の基準とすることができ、かつ製造コストも安価で保守も簡単であり、本考案に係るゼロ合わせ装置では、従来よりも製造コストも安価で保守も簡単である。
【符号の説明】
【００３８】
１０：インナーマスターゲージ具、１２，５２：測定スペース、１４，５４：ベース体、１６Ａ〜１６Ｅ：測定部固定支持部材、１８：測定子面受け部、２０：Ｖ字状換えロッド受け部、２２：換えロッド軸心上受け部材、２４，５６：換えロッド面受け部、２６：測定子受けシャフト、２８：換えロッド面受けシャフト、３０Ａ〜３０Ｅ：切り欠き部、３２Ａ〜３２Ｅ，３８：ねじ部材、３４：長孔、３６：台座、４０Ａ〜４０Ｅ：中空部、５０：ゼロ合わせ装置、５８：スピンドル部、６０：マイクロメータヘッド、１００：シリンダゲージ、１０２：外筒、１０４：測定部、１０６：換えロッド、１０８ａ，１０８ｂ：案内板、１１０：測定子、１１２：換えロッド先端部。
【図１】
0003193893.tif 000003
【図２】
0003193893.tif 000004
【図３】
0003193893.tif 000005
【図４】
0003193893.tif 000006
【図５】
0003193893.tif 000007
【図６】
0003193893.tif 000008